(57)【要約】  このステータは、コイルの巻回の中心側に配置される導体線が電源側に接続され、コイルの巻回の中心とは反対の外側に配置される導体線が中性点に接続されている。
2017110987.tif 000002
【特許請求の範囲】
【請求項１】
ステータコアと、
前記ステータコアに配置され、導体線が巻回されるコイルとを備え、
前記コイルの巻回の中心側に配置される前記導体線が電源側に接続され、前記コイルの巻回の中心とは反対の外側に配置される前記導体線が中性点に接続されている、ステータ。
【請求項２】
前記コイルは、前記ステータコアのスロットに収容される一対のスロット収容部のうちの、周方向の一方側の前記スロット収容部が前記スロットの外径側に配置され、周方向の他方側の前記スロット収容部が前記スロットの内径側に配置される２層重ね巻コイルを含む、請求項１に記載のステータ。
【請求項３】
前記コイルは、前記ステータコアの回転軸方向の端面から突出するコイルエンド部をさらに含み、
前記コイルの前記スロット収容部と前記コイルエンド部とを前記コイルの中心側から外側に向かって略Ｕ字形状に覆うように設けられる環状の絶縁部材をさらに備える、請求項２に記載のステータ。
【請求項４】
前記環状の絶縁部材は、略Ｕ字形状に折り曲げられたシート形状を有し、
前記コイルのうち、前記導体線が電源側に接続される前記コイルの巻回の中心側に対応する部分が、略Ｕ字形状に折り曲げられた前記絶縁部材の内側に配置され、前記導体線が中性点に接続される前記コイルの巻回の外側に対応する部分が、略Ｕ字形状に折り曲げられた前記絶縁部材の開口側に配置されている、請求項３に記載のステータ。
【請求項５】
前記コイルは、隣接するように複数配置され、
隣接する前記コイルのうちの一方の前記スロット収容部と他方の前記スロット収容部とは、同一の前記スロットに配置されるように構成されており、
同一の前記スロットの内径側に配置される前記スロット収容部を覆う第１絶縁部材は、前記ステータコアの内径側に開口し、前記スロットの外径側に配置される前記スロット収容部を覆う第２絶縁部材は、前記ステータコアの外径側に開口している、請求項４に記載のステータ。
【請求項６】
略Ｕ字形状に折り曲げられたシート形状の前記絶縁部材は、略Ｕ字形状の開口の端部が、前記コイルの巻回の最も外側よりも外側に突出している、請求項４または５に記載のステータ。
【請求項７】
前記絶縁部材は、前記コイルの成形加工時の変形に追従して変形するように構成されている、請求項３〜６のいずれか１項に記載のステータ。
【請求項８】
前記絶縁部材の、前記スロット収容部と前記コイルエンド部との境界近傍に対応する部分、および、前記コイルエンド部の頂部近傍に対応する部分のうちの少なくとも一方は、複数回折り畳まれており、
前記絶縁部材が前記コイルを覆うように設けられた状態で、前記絶縁部材の折り畳まれた部分の中心側は、折り畳まれている状態であるとともに、外側は、折り畳まれた前記絶縁部材が前記環状の絶縁部材の周方向に沿って広がっている状態である、請求項７に記載のステータ。
【請求項９】
前記絶縁部材の折り畳まれた部分は、蛇腹状に折り畳まれている、請求項８に記載のステータ。
【請求項１０】
前記絶縁部材は、前記コイルの前記スロット収容部に対応する部分に設けられる第１部分と、前記第１部分とは別個に設けられ、前記コイルエンド部に対応する部分に設けられるとともに、前記第１部分に部分的にオーバラップする第２部分とを含む、請求項７に記載のステータ。
【請求項１１】
ロータと、
前記ロータに対向するように配置されるステータとを備え、
前記ステータは、
ステータコアと、
前記ステータコアに配置され、導体線が巻回されるコイルとを含み、
前記コイルの巻回の中心側に配置される前記導体線が電源側に接続され、前記コイルの巻回の中心とは反対の外側に配置される前記導体線が中性点に接続されている、回転電機。
【発明の詳細な説明】
【技術分野】
【０００１】
本発明は、ステータおよび回転電機に関する。
【背景技術】
【０００２】
従来、導体線が巻回されているコイルを備えたステータおよび回転電機が知られている。このようなステータおよび回転電機は、たとえば、特許第２９４１１６４号公報に開示されている。【０００３】
特許第２９４１１６４号公報には、ステータコアのスロットに配置された３相の巻線（コイル）を備えるステータが開示されている。このステータでは、巻線は、導体線が複数回巻回されることにより形成されている。また、各相の巻線のコイルエンド部（巻線のうちのステータコアの回転軸方向端面から突出した部分）間には、絶縁紙が設けられている。絶縁紙は、各相の巻線のコイルエンド部間を絶縁するように構成されている。
【先行技術文献】
【特許文献】
【０００４】
【特許文献１】特許第２９４１１６４号公報
【発明の概要】
【発明が解決しようとする課題】
【０００５】
しかしながら、特許第２９４１１６４号公報では、各相の巻線のコイルエンド部間に絶縁紙が設けられている一方、巻線をスロットに配置した後にコイルエンド部を成形（変形）した場合などに、各相の巻線（コイル）のコイルエンド部同士が短絡してしまう場合があるという不都合が考えられる。このため、コイル間の絶縁が確保できなくなるという問題点が考えられる。【０００６】
この発明は、上記のような課題を解決するためになされたものであり、この発明の１つの目的は、コイル間の絶縁性が確保できなくなるのを防止することが可能なステータおよび回転電機を提供することである。
【課題を解決するための手段】
【０００７】
上記目的を達成するために、この発明の第１の局面におけるステータは、ステータコアと、ステータコアに配置され、導体線が巻回されるコイルとを備え、コイルの巻回の中心側に配置される導体線が電源側に接続され、コイルの巻回の中心とは反対の外側に配置される導体線が中性点に接続されている。【０００８】
この発明の第１の局面によるステータでは、上記のように、コイルの巻回の中心側に配置される導体線が電源側に接続され、コイルの巻回の中心とは反対の外側に配置される導体線が中性点に接続されている。これにより、コイルをスロットに挿入した後にコイルのコイルエンド部を成形した場合に、複数のコイルのそれぞれの外側に配置される導体線同士が互いに近接しても、外側に配置される導体線が中性点に接続されているので、導体線同士の電位差を小さくすることができる。その結果、コイル間の絶縁性が確保できなくなるのを防止することができる。【０００９】
この発明の第２の局面における回転電機は、ロータと、ロータに対向するように配置されるステータとを備え、ステータは、ステータコアと、ステータコアに配置され、導体線が巻回されるコイルとを含み、コイルの巻回の中心側に配置される導体線が電源側に接続され、コイルの巻回の中心とは反対の外側に配置される導体線が中性点に接続されている。【００１０】
この発明の第２の局面による回転電機では、上記のように、コイルの巻回の中心側に配置される導体線が電源側に接続され、コイルの巻回の中心とは反対の外側に配置される導体線が中性点に接続されている。これにより、コイルをスロットに挿入した後にコイルのコイルエンド部を成形した場合に、複数のコイルのそれぞれの外側に配置される導体線同士が互いに近接しても、外側に配置される導体線が中性点に接続されているので、導体線同士の電位差を小さくすることができる。その結果、コイル間の絶縁性が確保できなくなるのを防止することが可能な回転電機を提供することができる。
【発明の効果】
【００１１】
本発明によれば、上記のように、コイル間の絶縁性が確保できなくなるのを防止することができる。
【図面の簡単な説明】
【００１２】
【図１】本発明の第１実施形態による回転電機（ステータ）の平面図である。
【図２】本発明の第１実施形態によるコイルを示す図である。
【図３】本発明の第１実施形態による第１コイル（第２コイル）を示す図である。
【図４】本発明の第１実施形態による第３コイルを示す図である。
【図５】本発明の第１実施形態によるコイル（成形前）を示す図である。
【図６】図５の２００−２００線に沿った断面図である。
【図７】ステータに配置されたコイルの拡大断面図である。
【図８】本発明の第１実施形態による絶縁部材の展開図である。
【図９】図８の絶縁部材を折り畳んだ状態を示す平面図である。
【図１０】図８の絶縁部材を折り畳んだ状態を示す側面図である。
【図１１】図９の絶縁部材を略Ｕ字形状に折り曲げた状態を示す図である。
【図１２】巻枠の平面図である。
【図１３】巻枠に配置された状態の絶縁部材の拡大図（１）である。
【図１４】巻枠に配置された状態の絶縁部材の拡大図（２）である。
【図１５】図５のコイルのスロット収容部を捻った状態を示す図である。
【図１６】図１５の３００−３００線に沿った断面図である。
【図１７】図１５のコイルのコイルエンド部を成形（変形）した状態を示す図である。
【図１８】ステータコアに配置されたコイルのコイルエンド部が成形（変形）された状態を示す図である。
【図１９】本発明の第２実施形態によるコイル（成形前）を示す図である。
【図２０】本発明の第１実施形態の変形例による絶縁部材（略Ｕ字形状に折り曲げられた状態）を示す図である。
【発明を実施するための形態】
【００１３】
以下、本発明の実施形態を図面に基づいて説明する。
【００１４】
［第１実施形態］
（回転電機の構造）
図１〜図１８を参照して、第１実施形態による回転電機１００の構造について説明する。なお、本願明細書では、「回転軸方向」は、回転電機１００（ロータ１０）の回転軸方向を意味する。また、「径方向」は、ステータ２０の径方向（半径方向）を意味する。また、「内径側」は、ステータ２０の内径側（半径方向内側）を意味し、「外径側」は、ステータ２０の外径側（半径方向外側）を意味する。
【００１５】
図１に示すように、回転電機１００は、ロータ１０を備えている。ロータ１０のロータコア１１には、複数の永久磁石１２が設けられている。複数の永久磁石１２は、周方向に沿って、略等角度間隔で配置されている。
【００１６】
また、回転電機１００は、ロータコア１１の外周面と半径方向に対向するように配置されるステータ２０（ステータコア２１）を備えている。ステータコア２１は、外径側に配置された外径側コア２１ａと、内径側に配置された内径側コア２１ｂとを含む。そして、外径側コア２１ａと内径側コア２１ｂとが、嵌合されることにより、複数（第１実施形態では、４８個）のスロット２２（クローズドスロット）を有するステータコア２１が構成される。また、スロット２２を挟むように、複数のティース２３が設けられている。
【００１７】
また、図２に示すように、ステータ２０は、ステータコア２１に配置される複数（第１実施形態では、１つの相に対して８個）のコイル３０を備えている。コイル３０は、スロット収容部３１ａがスロット２２の外径側に配置される単層重ね巻コイルからなる１つの第１コイル３０ａを含む。また、コイル３０は、スロット収容部３１ｂがスロット２２の内径側に配置される単層重ね巻コイルからなる１つの第２コイル３０ｂを含む。また、コイル３０は、周方向の一方側のスロット収容部３１ｃが、スロット２２の外径側に配置され、周方向の他方側のスロット収容部３１ｃがスロット２２の内径側に配置される２層重ね巻コイルからなる複数（第１実施形態では、６個）の第３コイル３０ｃを含む。なお、図２は、３相のコイル３０のうちの１相分のコイル３０のみを図示している。また、第１コイル３０ａ、第２コイル３０ｂおよび第３コイル３０ｃは、特許請求の範囲の「コイル」の一例である。
【００１８】
図３に示すように、第１コイル３０ａは、スロット収容部３１ａと、ステータコア２１の回転軸方向の端面２１ｃから突出するコイルエンド部３２ａと、リード線部３３ａとを含む。また、第１コイル３０ａは、同心円の内側に巻回される第１内側コイル部分３４ａと、同心円の外側に巻回される第１外側コイル部分３５ａとを含む。
【００１９】
また、図３に示すように、第２コイル３０ｂは、第１コイル３０ａと同様に、スロット収容部３１ｂと、コイルエンド部３２ｂと、リード線部３３ｂとを含む。また、第２コイル３０ｂは、同心円の内側に巻回される第２内側コイル部分３４ｂと、同心円の外側に巻回される第２外側コイル部分３５ｂとを含む。
【００２０】
また、図４に示すように、第３コイル３０ｃは、スロット収容部３１ｃと、コイルエンド部３２ｃと、リード線部３３ｃとを含む。また、第３コイル３０ｃは、周方向の一方側に配置される第３コイル部分３４ｃと、周方向の他方側に配置される第３コイル部分３５ｃとを含む。そして、第３コイル部分３４ｃと第３コイル部分３５ｃとは、直列に接続されている。
【００２１】
また、第１コイル３０ａ、第２コイル３０ｂおよび第３コイル３０ｃは、互いに並列接続されている。そして、３相のコイル３０は、Ｙ結線されている。
【００２２】
（コイルの構造）
次に、図５を参照して、コイル３０の詳細な構造について説明する。なお、図５は、後述するコイル３０の成形前（変形前）の状態が示されている。また、図５は、単層重ね巻コイルからなる第１コイル３０ａの第１内側コイル部分３４ａ（または、第１外側コイル部分３５ａ）を表している。また、図５は、単層重ね巻コイルからなる第２コイル３０ｂの第２内側コイル部分３４ｂ（または、第２外側コイル部分３５ｂ）を表している。また、図５は、２層重ね巻コイルからなる第３コイル３０ｃの第３コイル部分３４ｃ（または、第３コイル部分３５ｃ）を表している。
【００２３】
コイル３０は、ステータコア２１のスロット２２に収容されるスロット収容部３１と、ステータコア２１の回転軸方向の端面２１ｃから突出するコイルエンド部３２と、ステータコア２１の外部に引き出されるリード線部３３とを含む。リード線部３３は、コイル３０を構成する導体線４０の一端部および他端部である。また、リード線部３３は、電源などの外部回路側との接続のための動力線、他の相のコイル３０との接続点（以下、中性点という）への接続のための中性線などとして機能する。
【００２４】
また、コイル３０は、導体線４０が、巻回の中心側から巻回の中心とは反対の外側に積層された状態で巻回されている。なお、導体線４０は、たとえば丸線からなる。ここで、第１実施形態では、コイル３０のうち、巻回の中心側に配置される導体線４０が電源側に接続され、コイル３０のうち、巻回の中心とは反対の外側に配置される導体線４０が中性点に接続されている。具体的には、コイル３０の中心側（最も中心側）に配置されるリード線部３３１が電源側に接続されている。また、コイル３０の外側（最も外側）に配置されるリード線部３３２が中性点に接続されている。
【００２５】
また、第１実施形態では、図５および図６に示すように、コイル３０のスロット収容部３１とコイルエンド部３２とを、コイル３０の中心側から外側に向かって略Ｕ字形状に覆うように設けられる環状の絶縁部材５０が設けられている。
【００２６】
具体的には、環状の絶縁部材５０は、略Ｕ字形状に折り曲げられたシート形状（図８参照）を有する。詳細には、後述するように、シート形状の絶縁部材５０は、略矩形形状（長方形形状）を有する。そして、コイル３０のうち、導体線４０が電源側に接続されるコイル３０の巻回の中心側に対応する部分が、略Ｕ字形状に折り曲げられた絶縁部材５０の内側に配置されている。また、コイル３０のうち、導体線４０が中性点に接続されるコイル３０の巻回の外側に対応する部分が、略Ｕ字形状に折り曲げられた絶縁部材５０の開口側（端部５１側、図６参照）に配置されている。
【００２７】
すなわち、導体線４０を中心側から外側に積層された状態で巻回することにより、中心側（巻き始め側）の導体線４０が略Ｕ字形状に折り曲げられた絶縁部材５０の内側に当接するように配置される。また、導体線４０を中心側から外側に積層された状態で巻回することにより、外側（巻き終わり側）の導体線４０が、略Ｕ字形状に折り曲げられた絶縁部材５０の開口側に配置される。
【００２８】
また、図６に示すように、第１実施形態では、略Ｕ字形状に折り曲げられたシート形状の絶縁部材５０は、略Ｕ字形状の開口の端部５１が、コイル３０の巻回の最も外側よりも外側に突出している。すなわち、導体線４０が略Ｕ字形状に折り曲げられた絶縁部材５０の内側から、開口まで達しない程度に、外側に順に積層されている。なお、図７に示すように、絶縁部材５０のコイル３０の巻回の最も外側よりも外側に突出した部分同士は、絶縁部材５０内にコイル３０（導体線４０）が巻回された後、閉じ合わされる。すなわち、導体線４０が露出しないように、外側に突出した部分同士が重なるように閉じられる。
【００２９】
また、第１実施形態では、図５に示すように、絶縁部材５０は、コイル３０の成形加工時の変形に追従して変形するように構成されている。具体的には、絶縁部材５０の、スロット収容部３１とコイルエンド部３２との境界３１１近傍に対応する部分（部分Ａ５〜部分Ａ８）と、コイルエンド部３２の頂部３２１近傍に対応する部分（部分Ａ１〜部分Ａ４）とのうちの少なくとも一方は、複数回折り畳まれている。なお、第１実施形態では、絶縁部材５０の部分Ａ５〜部分Ａ８、および、部分Ａ１〜部分Ａ４の両方が複数回折り畳まれている。そして、絶縁部材５０がコイル３０を覆うように設けられた状態で、絶縁部材５０の折り畳まれた部分Ａ１〜部分Ａ８の中心側は、折り畳まれている状態（図１３および図１４参照）である。一方、絶縁部材５０の部分Ａ１〜部分Ａ８の外側は、折り畳まれた絶縁部材５０が環状の絶縁部材５０の周方向に沿って広がっている状態である。
【００３０】
また、第１実施形態では、絶縁部材５０の折り畳まれた部分Ａ１〜部分Ａ８は、蛇腹状に折り畳まれている。なお、部分Ａ１〜部分Ａ８の詳細な構造は、後述する。
【００３１】
また、第１実施形態では、図７に示すように、コイル３０は、隣接するように複数配置されている。また、隣接するコイル３０のうちの一方のスロット収容部３１と他方のスロット収容部３１とは、同一のスロット２２に配置されるように構成されている。そして、同一のスロット２２の内径側に配置されるスロット収容部３１を覆う絶縁部材５０ａは、ステータコア２１の内径側に開口している（端部５１ａが配置されている）。また、スロット２２の外径側に配置されるスロット収容部３１を覆う絶縁部材５０ｂは、ステータコア２１の外径側に開口している（端部５１ｂが配置されている）。
【００３２】
なお、図２に示すように、同一のスロット２２には、内径側に第２コイル２０ｂのスロット収容部３１ｂが配置され、外径側に第１コイル２０ａのスロット収容部３１ａが配置されている。また、同一のスロット２２には、内径側に周方向の一方側に配置される第３コイル２０ｃのスロット収容部３１ｃが配置され、外径側に周方向の他方側に配置される第３コイル２０ｃのスロット収容部３１ｃが配置されている。そして、いずれの場合でも、スロット２２の内径側に配置されるスロット収容部３１を覆う絶縁部材５０ａは、ステータコア２１の内径側に開口し、スロット２２の外径側に配置されるスロット収容部３１を覆う絶縁部材５０ｂは、ステータコア２１の外径側に開口している。なお、絶縁部材５０ａおよび５０ｂは、それぞれ、特許請求の範囲の「第１絶縁部材」および「第２絶縁部材」の一例である。
【００３３】
（絶縁部材の構造）
次に、複数回折り畳まれた蛇腹形状の絶縁部材５０の詳細な構造（製造方法）について説明する。
【００３４】
まず、図８に示すように、略長方形形状の絶縁部材５０を準備する。次に、図９に示すように、Ｘ方向に沿った線（図８の点線参照）に沿って、絶縁部材５０をＹ方向に複数回折り畳む。なお、絶縁部材５０のうち、部分Ａ１〜部分Ａ４では、図１０に示すように、複数箇所（たとえば、２箇所）で折り畳まれた部分が積層される。また、絶縁部材５０のうち、部分Ａ５〜部分Ａ８では、図１０に示すように、複数箇所（たとえば、３箇所）で折り畳まれた部分が積層される。これにより、絶縁部材５０が、蛇腹状に折り畳まれる。また、絶縁部材５０の折り畳まれた部分Ａ１〜Ａ８は、それぞれ、略平坦状に形成される。すなわち、折り畳まれた部分Ａ１〜Ａ８の厚みが小さくなるように折り畳まれている。
【００３５】
なお、絶縁部材５０の部分Ａ１〜部分Ａ４は、コイルエンド部３２の頂部３２１近傍に対応する。また、絶縁部材５０の部分Ａ５〜部分Ａ８は、スロット収容部３１とコイルエンド部３２との境界３１１近傍に対応する。
【００３６】
次に、図９に示すように、蛇腹状に折り畳まれた絶縁部材５０の部分Ａ１〜部分Ａ８のそれぞれのＸ方向の略中央部近傍５０ｃが、たとえば超音波により溶接される。すなわち、複数回折り畳まれた部分（略中央部近傍５０ｃ）同士が接合される。
【００３７】
次に、図１１に示すように、Ｙ方向に沿った線（図９の一点鎖線参照）に沿って、絶縁部材５０がＸ方向に折り曲げられる。これにより、絶縁部材５０が、断面が略Ｕ字形状になるように折り曲げられる。
【００３８】
（コイルの製造および成形）
次に、コイル３０の製造および成形について説明する。
【００３９】
まず、図１２に示すように、巻枠６０を準備する。巻枠６０は、成形されるコイル３０の形状に対応した形状（たとえば８角形形状）を有する。
【００４０】
次に、図５に示すように、巻枠６０に絶縁部材５０が配置される。また、略Ｕ字形状に折り曲げられた絶縁部材５０は、外側に開口するように配置される。このとき、直線状の絶縁部材５０が、８角形形状の巻枠６０に配置されるため、絶縁部材５０の折り畳まれた部分（部分Ａ１〜部分Ａ８）では、中心側は折り畳まれた状態のままであるとともに、外側は折り畳まれた部分が周方向に沿って広がった状態になる。なお、図１３および図１４に示すように、絶縁部材５０の折り畳まれた部分（部分Ａ１〜部分Ａ８）の中央部近傍５０ｃが溶接（接合）されているため、中心側は、周方向に広がりにくくなっている。
【００４１】
次に、図５に示すように、導体線４０が中心側から外側に積層された状態で巻回される。なお、導体線４０は、導体線４０が略Ｕ字形状に折り曲げられた絶縁部材５０の内側から開口まで達しない程度に巻回（図５および図６参照）される。そして、絶縁部材５０のコイル３０の巻回の最も外側よりも外側に突出した部分同士が閉じ合わされる（図７参照）。
【００４２】
次に、図１５および図１６に示すように、導体線４０が巻回されたコイル３０の一方側のスロット収容部３１および他方側のスロット収容部３１がＣ方向に捻られる。これにより、絶縁部材５０のうち、一方側（紙面左側）のスロット収容部３１に対応する部分は、紙面手前側（Ｂ１方向側）に絶縁部材５０の開口に対応する部分（閉じ合わされた部分、端部５１）が配置され、他方側（紙面右側）のスロット収容部３１に対応する部分は、紙面奥側（Ｂ２方向側）に絶縁部材５０の開口に対応する部分が配置される。
【００４３】
次に、コイル３０がステータコア２１の周方向の湾曲に沿うように変形（湾曲）される。さらに、第３コイル３０ｃは、一方のスロット収容部３１ｃが内径側に、他方のスロット収容部３１ｃが外径側に配置されるように変形される。
【００４４】
そして、湾曲されたコイル３０がステータコア２１のスロット２２に配置される。このとき、同一のスロット２２に配置されるコイル３０のうち、スロット２２の内径側に配置されるスロット収容部３１を覆う絶縁部材５０ａ（図７参照）は、ステータコア２１の内径側に開口するように配置される。また、スロット２２の外径側に配置されるスロット収容部３１を覆う絶縁部材５０ｂ（図７参照）は、ステータコア２１の外径側に開口するように配置される。
【００４５】
最後に、図１７および図１８に示すように、スロット２２に配置されたコイル３０のコイルエンド部３２が、内径側（紙面奥側）に折り曲げられるように成形される。このとき、コイル３０の形状が変形する一方、絶縁部材５０の部分Ａ１〜部分Ａ８が蛇腹形状に折り畳まれているので、絶縁部材５０は、スロット収容部３１およびコイルエンド部３２の成形加工時の変形に追従して変形する。
【００４６】
（第１実施形態の効果）
第１実施形態では、以下のような効果を得ることができる。
【００４７】
第１実施形態では、上記のように、コイル３０の巻回の中心側に配置される導体線４０が電源側に接続され、コイル３０の巻回の外側に配置される導体線４０が中性点に接続されている。これにより、コイル３０をスロット２２に挿入した後にコイル３０のコイルエンド部３２を成形した場合に、複数のコイル３０のそれぞれから外側に配置される導体線４０がはみ出して互いに近接または接触しても、外側に配置される導体線４０が中性点に接続されているので、はみ出した導体線４０同士の電位差を小さくすることができる。その結果、コイル３０からはみ出した導体線４０同士が接触することに起因して、コイル３０間の絶縁性が確保できなくなるのを防止することができる。
【００４８】
また、第１実施形態では、上記のように、コイル３０は、２層重ね巻コイルからなる複数（第１実施形態では、６個）の第３コイル３０ｃを含む。これにより、同一のスロット２２に互いに異なる相の第３コイル３０ｃが配置される構成において、巻回の外側に配置される導体線４０を中性点に接続することは、コイル３０間の絶縁性を確保する点において特に有効である。
【００４９】
また、第１実施形態では、上記のように、コイル３０のスロット収容部３１とコイルエンド部３２とをコイル３０の中心側から外側に向かって略Ｕ字形状に覆うように設けられる環状の絶縁部材５０を備える。これにより、環状の絶縁部材５０の外側が開口するので、導体線４０を中心側から外側に積層された状態に、容易に、巻回することができる。
【００５０】
また、第１実施形態では、上記のように、環状の絶縁部材５０は、略Ｕ字形状に折り曲げられたシート形状を有する。そして、コイル３０のうち、導体線４０が電源側に接続されるコイル３０の中心側に対応する部分が、略Ｕ字形状に折り曲げられた絶縁部材５０の内側に配置され、導体線４０が中性点に接続されるコイル３０の外側に対応する部分が、略Ｕ字形状に折り曲げられた絶縁部材５０の開口側に配置されている。これにより、比較的電圧の高い電源側に接続されるコイル３０の中心側に対応する部分が、絶縁部材５０の開口とは反対側に配置される。その結果、比較的電圧の高い電源側に接続されるコイル３０の中心側に対応する部分がはみ出すのを防止することができるので、コイル３０の比較的電圧の高い電源側に接続される部分がはみ出すことに起因してコイル３０同士が短絡するのを防止することができる。
【００５１】
また、第１実施形態では、上記のように、同一のスロット２２の内径側に配置されるスロット収容部３１を覆う絶縁部材５０ａは、ステータコア２１の内径側に開口し、スロット２２の外径側に配置されるスロット収容部３１を覆う絶縁部材５０ｂは、ステータコア２１の外径側に開口している。これにより、比較的、絶縁部材５０の外側にはみ出しやすいコイル３０の外側に配置される導体線４０同士が同一のスロット２２内で対向することが抑制されるので、コイル３０同士の短絡をより抑制することができる。
【００５２】
また、第１実施形態では、上記のように、略Ｕ字形状に折り曲げられたシート形状の絶縁部材５０は、略Ｕ字形状の開口の端部５１が、コイル３０の巻回の最も外側よりも外側に突出している。これにより、コイル３０の巻回の最も外側よりも外側に突出している絶縁部材５０の部分（端部５１）を閉じ合せることにより、導体線４０が露出するのを防止することができる。
【００５３】
また、第１実施形態では、上記のように、絶縁部材５０は、コイル３０の成形加工時の変形に追従して変形するように構成されている。これにより、コイル３０をスロット２２に挿入した後にコイル３０を成形（変形）させた場合でも、コイル３０の変形に起因して絶縁部材５０が破損すること（導体線４０がはみ出すこと）を防止することができる。
【００５４】
また、第１実施形態では、上記のように、絶縁部材５０の、スロット収容部３１とコイルエンド部３２との境界３１１近傍に対応する部分、および、コイルエンド部３２の頂部３２１近傍に対応する部分のうちの少なくとも一方は、複数回折り畳まれている。そして、絶縁部材５０がコイル３０を覆うように設けられた状態で、絶縁部材５０の折り畳まれた部分の中心側は、折り畳まれている状態であるとともに、外側は、折り畳まれた絶縁部材５０が環状の絶縁部材５０の周方向に沿って広がっている状態である。これにより、絶縁部材５０は、コイル３０の変形に追従するように、折り畳まれた状態が広がるか、または、広がった状態から折り畳まれた状態に戻る。その結果、コイル３０の変形に起因して絶縁部材５０が破損すること（導体線４０がはみ出すこと）を、効果的に防止することができる。
【００５５】
また、第１実施形態では、上記のように、絶縁部材５０の折り畳まれた部分Ａ１〜Ａ８は、蛇腹状に折り畳まれている。これにより、容易に、コイル３０の変形に追従するように、絶縁部材５０の折り畳まれた部分Ａ１〜Ａ８の折り畳みの状態を変化させることができる。
【００５６】
［第２実施形態］
図１９を参照して、第２実施形態による回転電機１１０の構造について説明する。第２実施形態による回転電機１１０では、上記１つの絶縁部材５０がコイル３０のスロット収容部３１とコイルエンド部３２とを覆うように構成されていた第１実施形態と異なり、コイル３０のスロット収容部３１とコイルエンド部３２とを覆う絶縁部材７０が別個に設けられている。
【００５７】
第２実施形態による回転電機１１０では、絶縁部材７０は、コイル３０のスロット収容部３１に対応する部分に設けられる第１部分７１を含む。また、絶縁部材７０は、第１部分７１とは別個に設けられ、コイルエンド部３２に対応する部分に設けられるとともに、第１部分７１に部分的にオーバラップする第２部分７２とを含む。なお、第１部分７１と第２部分７２とは、それぞれ、２つずつ設けられている。
【００５８】
具体的には、絶縁部材７０の第１部分７１は、略長方形形状のシート形状の絶縁部材が略Ｕ字形状に折り曲げられている。そして、第１部分７１は、スロット収容部３１をコイル３０の中心側から外側に向かって覆うように設けられている。また、絶縁部材７０の第２部分７２は、たとえばＰＴＦＥ（ｐｏｌｙｔｅｔｒａｆｌｕｏｒｏｅｔｈｙｌｅｎｅ）などの延性を有する部材からなり、略長方形形状のシート形状の絶縁部材が略Ｕ字形状に折り曲げられている。そして、第２部分７２は、コイルエンド部３２をコイル３０の中心側から外側に向かって覆うように設けられている。そして、第２部分７２の端部と、第１部分７１の端部とがオーバラップしている。なお、絶縁部材７０には、蛇腹状に折り畳まれた部分は設けられていない。
【００５９】
なお、第２実施形態のその他の構成は、上記第１実施形態と同様である。
【００６０】
（第２実施形態の構造の効果）
第２実施形態では、以下のような効果を得ることができる。
【００６１】
第２実施形態では、上記のように、絶縁部材７０は、コイル３０のスロット収容部３１に対応する部分に設けられる第１部分７１と、第１部分７１とは別個に設けられ、コイルエンド部３２に対応する部分に設けられるとともに、第１部分７１に部分的にオーバラップする第２部分７２とを含む。これにより、コイル３０の成形（変形）に起因して、絶縁部材７０の第１部分７１と第２部分７２との相対的な位置がずれた場合でも、第１部分７１と第２部分７２とがオーバラップしているので、導体線４０が露出するのを抑制することができる。
【００６２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６３】
たとえば、上記第１および第２実施形態では、巻回の最も外側に配置される導体線が中性点に接続されている例を示したが、本発明はこれに限られない。本発明では、外側に配置される導体線であれば、巻回の最も外側に配置される導体線以外の導体線が中性点に接続されていてもよい。
【００６４】
また、上記第１および第２実施形態では、絶縁部材が略Ｕ字形状に折り曲げられたシート形状を有する例を示したが、本発明はこれに限られない。たとえば、絶縁部材がチューブ形状（円筒形状）を有していてもよい。
【００６５】
また、上記第１実施形態（第２実施形態）では、絶縁部材が蛇腹状に折り畳まれる（第１部分と第２部分とが部分的にオーバラップする）ことにより、コイルの成形加工時の変形に追従して変形するように構成されている例を示したが、本発明はこれに限られない。本発明では、蛇腹状に折り畳むこと（部分的にオーバラップすること）以外の構成により、絶縁部材がコイルの成形加工時の変形に追従して変形するようにしてもよい。
【００６６】
また、上記第１実施形態では、１つの絶縁部材によりコイルを覆う例を示したが、本発明はこれに限られない。たとえば、図２０に示すように、２つに分割された絶縁部材８０（絶縁部材８０ａおよび８０ｂ）を用意して、２つに分割された絶縁部材８０（絶縁部材８０ａおよび８０ｂ）を、コイル３０（巻枠６０）に配置するようにしてもよい。
【００６７】
また、上記第１実施形態では、絶縁部材の、スロット収容部とコイルエンド部との境界近傍に対応する部分、および、コイルエンド部の頂部近傍に対応する部分の両方が、複数回折り畳まれている例を示したが、本発明はこれに限られない。たとえば、スロット収容部とコイルエンド部との境界近傍に対応する部分、および、コイルエンド部の頂部近傍に対応する部分のうちの一方のみが、複数回折り畳まれていてもよい。
【００６８】
また、上記第１および第２実施形態では、単層重ね巻コイルからなる第１および第２コイル部が設けられている例を示したが、本発明はこれに限られない。たとえば、コイルが２層重ね巻コイルからなる第３コイルのみから構成されていてもよい。
【００６９】
また、上記第１および第２実施形態では、ステータコアに４８個のスロットが設けられている例を示したが、本発明はこれに限られない。本発明では、ステータコアに４８個以外の数のスロットが設けられていてもよい。
【符号の説明】
【００７０】
１０  ロータ
２０  ステータ
２１  ステータコア
２１ｃ  端面
２２  スロット
３０、３０ａ、３０ｂ、３０ｃ  コイル
３１、３１ａ、３１ｂ、３１ｃ  スロット収容部
３２、３２ａ、３２ｂ、３２ｃ  コイルエンド部
４０  導体線
５０  絶縁部材
５０ａ  絶縁部材（第１絶縁部材）
５０ｂ  絶縁部材（第２絶縁部材）
５１、５１ａ、５１ｂ  端部
３１１  境界
３２１  頂部
７０  絶縁部材
７１  第１部分
７２  第２部分
８０  絶縁部材
１００、１１０  回転電機
【図１】
2017110987.tif 000003
【図２】
2017110987.tif 000004
【図３】
2017110987.tif 000005
【図４】
2017110987.tif 000006
【図５】
2017110987.tif 000007
【図６】
2017110987.tif 000008
【図７】
2017110987.tif 000009
【図８】
2017110987.tif 000010
【図９】
2017110987.tif 000011
【図１０】
2017110987.tif 000012
【図１１】
2017110987.tif 000013
【図１２】
2017110987.tif 000014
【図１３】
2017110987.tif 000015
【図１４】
2017110987.tif 000016
【図１５】
2017110987.tif 000017
【図１６】
2017110987.tif 000018
【図１７】
2017110987.tif 000019
【図１８】
2017110987.tif 000020
【図１９】
2017110987.tif 000021
【図２０】
2017110987.tif 000022
【国際調査報告】
2017110987.tif 000023
2017110987.tif 000024
2017110987.tif 000025
2017110987.tif 000026